(57)【要約】  作業性を低下させることなく不測の荷重や振動等による誤動作を防止する液体塗布具を提供すること。  筒状体は、その内面から筒状体の内側へ向けて突出する突起を有する。容器は、開口部側に筒状体の内面と対向する対向部を有する。対向部の外面には、突起が摺動する溝部が刻設される。溝部は、容器の軸方向に沿う直線状の第一溝及び第二溝と、第一溝及び第二溝に直交する直線状の第三溝よりなる。第一溝は、その一端が開口部の縁部から延在する。第三溝は、突起の摺動を抑制する摺動抑制部を有する。
2019138549.tif 000002
【特許請求の範囲】
【請求項１】
内部に液体が充填され開口部が封止材で封止された容器と、前記液体を塗布する塗布部及び前記封止材を穿孔する穿孔部を有する筒状体とを備え、前記容器を前記筒状体に対し相対移動させることで、前記穿孔部が前記封止材を穿孔し前記液体を前記塗布部へ流出させる液体塗布具であって、
前記筒状体は、その内面から筒状体の内側へ向けて突出する突起を有し、
前記容器は、前記開口部側に前記筒状体の内面と対向する対向部を有し、
前記対向部の外面には、前記突起が摺動する溝部が刻設され、
前記溝部は、前記容器の軸方向に沿う直線状の第一溝及び第二溝と、前記第一溝及び前記第二溝に直交する直線状の第三溝よりなり、
前記第一溝は、その一端が前記開口部の縁部から延在し、
前記第三溝は、前記突起の摺動を抑制する摺動抑制部を有する液体塗布具。
【請求項２】
前記摺動抑制部は、前記第一溝との交差部近傍の前記第三溝内に位置する凸部であり、前記第三溝は、前記第一溝よりも深い請求項１記載の液体塗布具。
【請求項３】
前記第二溝は、前記第三溝よりも浅い請求項２記載の液体塗布具。
【請求項４】
前記筒状体の内面及び前記対向部の外面の少なくとも一方には、前記軸方向に沿うエア抜き溝が刻設されている請求項１記載の液体塗布具。
【請求項５】
前記穿孔部は、前記筒状体の内部に嵌入される基端部を有し、前記筒状体は、前記筒状体の本体部と前記塗布部とを連通する連通部と、前記基端部を固定する固定部をさらに備え、前記エア抜き溝は前記本体部に位置し、前記固定部には、前記基端部を回避して前記本体部と前記連通部を連通させる凹部を有する請求項４記載の液体塗布具。
【請求項６】
前記凹部は、前記エア抜き溝の延長線上に位置する請求項５記載の液体塗布具。
【請求項７】
前記対向部の前記開口部と反対側の端部には、前記第一溝の延長線と交差する部分に第一マークを有し、前記筒状体の前記塗布部と反対側の端部には、前記突起の延長線と交差する部分に第二マークを有する請求項１記載の液体塗布具。
【請求項８】
前記溝部及び前記突起は、前記容器の中心軸に対し点対称に一対設けられている請求項１記載の液体塗布具。
【請求項９】
前記第三溝は、前記容器の中心軸に対し中心角が９０°の円弧である請求項８記載の液体塗布具。
【請求項１０】
前記穿孔部は、前記筒状体の内部に嵌入される基端部を有し、前記基端部は、少なくとも一部に前記突起よりも大きい切欠部を一対有する請求項８記載の液体塗布具。
【請求項１１】
前記第二溝の前記第三溝と直交する側とは反対側の端部近傍には、隆起部が形成されている請求項１記載の液体塗布具。
【発明の詳細な説明】
【技術分野】
【０００１】
本発明は、液体塗布具に関する。さらに詳しくは、内部に液体が充填され開口部が封止材で封止された容器と、前記液体を塗布する塗布部及び前記封止材を穿孔する穿孔部を有する筒状体とを備え、前記容器を前記筒状体に対し相対移動させることで、前記穿孔部が前記封止材を穿孔し前記液体を前記塗布部へ流出させる液体塗布具に関する。
【背景技術】
【０００２】
従来、上述の如き液体塗布具として、例えば特許文献１に記載の如きものが知られている。この塗布具は、薬液が充填されたボトルと、多孔質体が装着された本体と、これらを接続する接続体とを備え、接続体の外面の凸状リブを本体のガイド溝に係止させることで、ボトルを回転させながら本体に押し込み可能としてある。しかし、ガイド溝の端部が短く且つ平坦(水平)であるため（特許文献１の図５〜７）、液体塗布具の組立時や搬送時などに振動や軸方向への不測の負荷が生じると、ボトルは簡単に回転し軸方向に移動を開始する。その結果、ボトル口部のシール材が内部の内筒により破られて、薬液が流出する虞があった。
【先行技術文献】
【特許文献】
【０００３】
【特許文献１】特開２０１３−２３２８２号公報
【発明の概要】
【発明が解決しようとする課題】
【０００４】
かかる従来の実情に鑑みて、本発明は、作業性を低下させることなく不測の荷重や振動等による誤動作を防止する液体塗布具を提供することを目的とする。
【課題を解決するための手段】
【０００５】
上記目的を達成するため、本発明に係る液体塗布具の特徴は、内部に液体が充填され開口部が封止材で封止された容器と、前記液体を塗布する塗布部及び前記封止材を穿孔する穿孔部を有する筒状体とを備え、前記容器を前記筒状体に対し相対移動させることで、前記穿孔部が前記封止材を穿孔し前記液体を前記塗布部へ流出させる構成において、前記筒状体は、その内面から筒状体の内側へ向けて突出する突起を有し、前記容器は、前記開口部側に前記筒状体の内面と対向する対向部を有し、前記対向部の外面には、前記突起が摺動する溝部が刻設され、前記溝部は、前記容器の軸方向に沿う直線状の第一溝及び第二溝と、前記第一溝及び前記第二溝に直交する直線状の第三溝よりなり、前記第一溝は、その一端が前記開口部の縁部から延在し、前記第三溝は、前記突起の摺動を抑制する摺動抑制部を有することにある。【０００６】
上記構成によれば、筒状体の内面に設けた突起を容器の対向部の外面に設けたガイド溝に嵌入させることで、突起を溝部に対し摺動可能とし、筒状体と容器とを相対移動可能に連結させる。ここで、容器の軸方向に沿う直線状の第一溝は、その一端が開口部の縁部から延在してあるので、容器と筒状体との組立（嵌入）時に一方を押し込むだけでよく、作業性がよい。そして、第一溝は直線状の第三溝に直交しているので、第三溝によりそれ以上軸方向に押し込むことができない。よって、組立時や搬送時等の不測の外力による軸方向への誤動作（移動）を防止する。しかも、第三溝は突起の摺動を抑制する摺動抑制部を有するので、容器の周方向への相対移動を抑制する。よって、組立時や搬送時の不測の外力や振動等による周方向への誤動作（移動）を防止する。従って、不測の荷重や振動等による誤動作を防止し、不測の封止材の穿孔を防止することが可能となる。【０００７】
係る場合、前記摺動抑制部は、前記第一溝との交差部近傍の前記第三溝内に位置する凸部であり、前記第三溝は、前記第一溝よりも深く形成されているとよい。これにより、凸部及び第一溝と第三溝との段差が、第一溝と第三溝との交差部で突起を保持するので、軸方向及び周方向への誤作動がさらに抑制される。また、凸部を第一溝と第三溝との交差部近傍に位置させることで、凸部は第三溝と直交する第二溝から離隔することとなる。これにより、仮に突起が凸部を乗り越えたとしても、第二溝までの距離が確保されているので、第三溝から第二溝への突起の進入を抑制でき、軸方向への誤動作（移動）を防止する。さらに、第一溝と第三溝との段差により、組立後の筒状体の不測の抜けも防止できる。【０００８】
係る構成において、前記第二溝は、前記第三溝よりも浅く形成されていることが望ましい。これにより、第三溝から第二溝への突起の進入をさらに抑制することができる。【０００９】
前記筒状体の内面及び前記対向部の外面の少なくとも一方には、前記軸方向に沿うエア抜き溝が刻設されているとよい。これにより、穿孔時や摺動（相対移動）時に内部の空気を外部に放出できるので、摺動（相対移動）がスムースに行えると共に、流出した液体の移動及び塗布も迅速となり、作業性が向上する。【００１０】
係る場合、前記穿孔部は、前記筒状体の内部に嵌入される基端部を有し、前記筒状体は、この筒状体の本体部と前記塗布部とを連通させる連通部と、前記基端部を固定する固定部をさらに備え、前記エア抜き溝は前記本体部に位置し、前記固定部には、前記本体部と前記連通部を連通させる凹部を有するとよい。この凹部により、穿孔部を筒状体内部に固定しても、基端部に阻害されることなく本体部と連通部が連通する。よって、塗布部から筒状体内部を介して筒状体外部まで空気の流通経路（気道）が確保される。これにより、流出した液体の移動及び塗布もより迅速となる。【００１１】
さらに、前記凹部は、前記エア抜き溝の延長線上に位置するとよい。これにより、空気の流通経路（気道）が同一直線上に配置されることとなり、よりスムースな空気の移動となり、さらに迅速に液体を流動し塗布させることができ、作業性が向上する。【００１２】
前記対向部の前記開口部と反対側の端部（後端部）には、前記第一溝の延長線と交差する部分に第一マークを有し、前記筒状体の前記塗布部と反対側の端部（後端部）には、前記突起の延長線と交差する部分に第二マークを有するとよい。これにより、第一マークと第二マークとを合わせることで組立（嵌入）作業の目安となり、作業性がよい。また、第一マーク及び第二マークの位置ずれにより、誤作動の確認も容易となる。【００１３】
前記溝部及び前記突起は、前記容器の中心軸に対し点対称に一対設けられているとよい。これにより、中心軸に対して各部材が対称に配置されるので、容器及び筒状体の操作の際に掛かる負荷のバランスがとれ、操作性がよい。【００１４】
係る場合、前記第三溝は、前記容器の中心軸に対して中心角が９０°の円弧であるとよい。これにより、過度な移動（回転）距離とならずに操作性の低下を防止すると共に、周方向への移動（回転）距離を確保して軸方向への誤作動防止も担保できる。【００１５】
また、前記穿孔部は、前記筒状体の内部に嵌入される基端部を有し、前記基端部は、少なくとも一部に前記突起よりも大きい切欠部を一対有するとよい。これにより、組立（嵌入）作業の際に突起が穿孔部の嵌入を阻害することがなく、スムースに嵌入でき、作業性がよい。【００１６】
前記第二溝の前記第三溝と直交する側とは反対側の端部（後端部）近傍には、隆起部が形成されているとよい。これにより、押し込み後の突起の戻りの誤作動を抑制できる。
【発明の効果】
【００１７】
上記本発明に係る液体塗布具の特徴によれば、作業性を低下させることなく不測の荷重や振動等による誤動作を防止することが可能となった。【００１８】
本発明の他の目的、構成及び効果については、以下の発明の実施の形態の項から明らかになるであろう。
【図面の簡単な説明】
【００１９】
【図１Ａ】本発明に係る液体塗布具を示す斜視図であり、使用前の装着状態を示す図である。
【図１Ｂ】本発明に係る液体塗布具を示す斜視図であり、使用時（塗布時）の状態を示す図である。
【図２】液体塗布具の分解斜視図である。
【図３】容器の平面図である。
【図４】図３のＡ−Ａ線断面図である。
【図５】図３のＢ−Ｂ線断面図である。
【図６】溝部近傍の拡大斜視図である。
【図７】図３のａ部部分拡大図である。
【図８】図３のｂ部部分拡大図である。
【図９】筒状体の断面図である。
【図１０】筒状体の斜視図である。
【図１１】穿孔部の正面図である。
【図１２】図１１のＣ−Ｃ線断面図である。
【図１３】液体塗布具を組み立てた状態（回転前）を示す一部破砕図である。
【図１４】液体塗布具の使用時の状態（回転後）を示す図１３のＤ−Ｄ線断面図である。
【図１５】図１３のＥ−Ｅ線断面図である。
【発明を実施するための形態】
【００２０】
次に、適宜添付図面を参照しながら、本発明をさらに詳しく説明する。
本発明に係る液体塗布具１は、図１，２に示すように、大略、内部に液体Ｌが充填され開口部２１が封止材２２で封止された容器２と、液体Ｌを塗布する塗布部４及び封止材２２を穿孔する穿孔部５を有する筒状体３とを備える。なお、本実施形態において、塗布部４側を前側、容器２の底部２５側を後側とする。
【００２１】
本発明において、容器２に充填される液体Ｌは、特に限定されるものではないが、例えば、手術前に患者の皮膚に塗布される消毒液や薬液などである。係る場合、医師等の医療従事者が、容器２を把持して筒状体３に対し回転及び押し込み操作する。この操作（容器２の筒状体３に対する相対移動）により、穿孔部５が封止材２２を穿孔し、液体Ｌが開口部２１から塗布部４へ向けて放出される。そして、医療従事者は、塗布部４により患者に液体Ｌを塗布する。なお、容器２及び筒状体３の材質や形状は、充填する液体Ｌの物性や滅菌処理等に応じて適宜選択可能であり、特に限定されるものではない。
【００２２】
容器２は、図２〜４に示すように、略円筒状を呈し、フランジ２３から開口部２１にわたって筒状体３の内面３０ａと対向する対向部２４を有する。また、容器２は、フランジ２３から底部２５にわたって、外面にローレット２６ａが設けられた把持部２６を有する。フランジ２３は、容器本体２０の軸方向Ｘの略中央に設けられている。このフランジ２３（容器２の後端部）には、第一溝１１の中心を通る延長線Ｅ１との交差部分に第一マーク２９が設けられている。
【００２３】
開口部２１の端面２１ａには、図７に示すように、封止材２２の溶着面となる半球状の隆起部２１ｂが環状に形成されている。隆起部２１ｂの中心ｎ２は、端面２１ａの中心ｎ１よりも外側に位置させてある。これにより、封止材２２を緊張させた状態で溶着でき、より小さい荷重での穿孔を可能とし、作業性を向上させている。なお、封止材２２には、例えば、アルミラミネートフィルムが用いられるが、充填する液体Ｌの物性や滅菌処理等に応じて適宜選択可能であり、特に限定されるものではない。
【００２４】
対向部２４の外面には、図２〜６に示すように、筒状体３の突起３２が摺動する溝部１０が刻設されている。溝部１０の後方（フランジ２３側）には、一対の環状突出部２７と、フランジ２３に向けて対向部２４の外径を漸次拡大するテーパー部２８が設けられている。これらにより、流出した液体Ｌが容器２と筒状体３との隙間から外部へ漏洩することを抑制する。
【００２５】
溝部１０は、図２〜８に示すように、容器２の軸方向Ｘに沿う直線状の第一溝１１及び第二溝１２と、第一溝１１及び第二溝１２の各々に直交する直線状の第三溝１３よりなる。第一溝１１は、テーパー状の一端１１ａ（溝部１０の始端１０ｘ）が開口部２１の縁部２１ｃから延在してある。第三溝１３は、第三溝１３と第一溝１１との第一交差部１０ｃ１近傍に突起３２の摺動を抑制する摺動抑制部としての凸部１４を有する。また、第三溝１３は、中心角θが９０°の円弧であり、第一溝１１及び第二溝１２の双方よりも深く形成されている。第二溝１２の後端部１２ａ（溝部１０の終端１０ｙ）には、隆起部１５が形成されている。なお、本実施形態において、溝部１０は、容器２の中心軸Ａに対し点対称に一対設けられている。
【００２６】
筒状体３は、図２，９，１０に示すように、塗布部４と、穿孔部５と、対向部２４に対向する円筒状の本体部３０と、本体部３０及び塗布部４を連通する連通部３１とを有する。本体部３０の内面３０ａには、中心軸Ａ側へ向けて突出する突起３２と、軸方向Ｘに沿う直線状のエア抜き溝３３と、穿孔部５を嵌合させて固定する固定部３４が設けられている。本実施形態において、突起３２は半球状を呈し、中心軸Ａに対し点対称に一対設けられている。
【００２７】
エア抜き溝３３は、図９，１０に示すように、一方の突起３２の近傍から開口部３５に向けて形成されている。また、固定部３４は環状を呈し、後述の基端部５１の裏面と当接する環状の当接部３４ａと、環状凸部３４ｂとを有する。当接部３４ａの内径は、本体部３０の内径よりも小さい。この当接部３４ａには、本体部３０と連通部３１とを接続する凹部３６が形成されている。なお、開口部３５（筒状体３の後端部）のフランジ３５ａの外面には、突起３２から軸方向Ｘに沿う延長線Ｅ２との交差部分に第二マーク３９が設けられている。
【００２８】
図１，２に示すように、塗布部４は筒状体３の前方端部に位置し、液体Ｌを人体等に塗布するスポンジ４１と、スポンジ４１を固定するフランジ４２を有する。スポンジ４１は、例えばフェルトや連続気泡材料等の多孔質材料より構成され、接着等によりフランジ４２に固定される。
【００２９】
図９，１０に示すように、フランジ４２には、その中央部に複数の貫通孔４３が設けられている。貫通孔４３は、連通部３１を介して液体Ｌをスポンジ４１へ供給する。なお、本発明において、スポンジ４１、フランジ４２、貫通孔４３の材料、構造、形状、大きさ、数、位置等は、充填する液体Ｌの物性や液体の流出量等に応じて適宜選択すればよく、特に限定されるものではない。また、図示省略するが、スポンジ４１表面に単数又は複数のスリットを形成してもよく、その形状、大きさ、数、位置等も適宜選択すればよい。
【００３０】
穿孔部５は、図２，１１，１２に示すように、固定部３４に嵌入される略円筒状の基端部５１と、封止材２２を穿孔する穿孔体５２と、基端部５１から立設し穿孔体５２を支持する略円筒状の支持部５３とを有する。基端部５１は、外周の一部を切り欠いた一対の切欠部５４，５４を有する。穿孔体５２は、本体部３０側に向けて鋭角な略Ｖ字状に形成された複数の支柱５５よりなり、略円錐状を呈する。また、複数の支柱５５の間の支持部５３の上端は先鋭に加工され、支柱５５の補助刃５６として機能する。封止材２２を穿孔した際、液体Ｌは、支柱５５間の間隙５７から内部空間５０Ｓ及び連通空間３１Ｓを通過して塗布部４へ流れる。なお、本実施形態において、穿孔部５は、筒状体３とは別体に成型される。
【００３１】
ここで、図１Ａ，１Ｂ，２，１３〜１５を参照しながら、液体塗布具１の組立及び使用について説明する。
まず、本体部３０に穿孔部５を嵌入させて、固定部３４の当接部３４ａ及び環状凸部３４ｂに嵌合させて固定する。環状凸部３４ｂは、嵌入される穿孔部５の基端部５１が通過可能な程度の高さ（内径）である。ここで、基端部５１には一対の切欠部５４，５４が形成されているので、穿孔部５の嵌入の際に、突起３２と切欠部５４との位置を合わせることで、突起３２が基端部５１に衝突することなく嵌入をスムースに行うことができる。また、固定部３４に基端部５１を固定しても、凹部３６は、当接部３４ａと密着する基端部５１に阻害されることなく本体部３０の内部空間３０Ｓと連通部３１の連通空間３１Ｓとを連通させる。よって、塗布の際に筒状体３内部の空気が凹部３６を介して流動可能となるので、液体Ｌの流動性が向上し、スムースな塗布が可能となる。
【００３２】
次に、液体Ｌが充填された容器２に筒状体３を摺動可能に装着する。この際、本体部３０の内面３０ａの突起３２を対向部２４の外面の溝部１０に嵌入させるが、筒状体３が透明でなければ、外部から突起３２の位置を把握（目視）することができない。本実施形態では、容器２のフランジ２３に第一溝１１と同一直線上に位置する第一マーク２９を設けると共に、筒状体３のフランジ３５ａに突起３２と同一直線上に位置する第二マーク３９を設けてある。よって、容器２に筒状体３を装着する際に、第一マーク２９及び第二マーク３９を位置合わせすることで、突起３２を第一溝１１の一端１１ａに容易に嵌入させることができ、作業性もよい。
【００３３】
突起３２を第一溝１１に嵌入させた後、容器２を筒状体３に押し込むと、突起３２は第一溝１１を摺動し、第三溝１３に衝突して止まる。ここで、第三溝１３は第一溝１１よりも深く形成されており、第一溝１１と第三溝１３との第一交差部１０ｃ１近傍には第三溝１３内に凸部１４が形成されている。この２つの溝の段差と凸部１４により、第一交差部１０ｃ１には窪みが形成される。そして、溝の段差により、軸方向Ｘへの相対移動が制限され、装着後の筒状体３の抜けが防止される。さらに、凸部１４により、周方向への相対移動が制限され、回転動作を防止する。このように、装着作業完了後において、突起３２は、凸部１４と第一溝１１と第三溝１３との段差によって第一交差部１０ｃ１（窪み）に保持される。従って、不測の外力や振動等による軸方向Ｘ及び周方向への誤動作（相対移動）が防止される。
【００３４】
さらに、本実施形態においては、第三溝１３は、中心角θが９０°の円弧であり、第二溝１２に対しても深く形成されている。よって、仮に、突起３２が凸部１４を乗り越えて移動したとしても、第二溝１２と第三溝１３との第二交差部１０ｃ２まで移動しなければ軸方向Ｘへ移動できないので、誤作動による封止材２２の穿孔を防止できる。しかも、第二溝１２は、第三溝１３よりも高く形成されている。よって、仮に、第二交差部１０ｃ２に到達したとしても、第二溝１２と第三溝１３との段差により、さらに軸方向Ｘへの誤作動が防止される。
【００３５】
使用（塗布）の際には、第一交差部１０ｃ１に保持された突起３２を第二交差部１０ｃ２に向けて移動させるように、容器２を筒状体３に対して周方向に相対回転させる（ねじり）。ここで、第三溝１３は、中心角θが９０°の円弧であるので、容器２を筒状体３に対する回転距離は比較的短く、周方向への移動（回転）距離を確保して誤作動を防止しつつ、回転量が少なく作業性もよい。
【００３６】
そして、第二交差部１０ｃ２から突起３２を後端部１２ａに当接するように、容器２を筒状体３に対して軸方向Ｘに相対移動させる（押し込み）。第二溝１２内に形成された後端部１２ａ近傍の隆起部１５により、当接した（押し込み完了した）突起３２の逆走を防止している。
【００３７】
突起３２を第二交差部１０ｃ２から後端部１２ａへ摺動（相対移動）させる途中で、穿孔体５２が封止材２２を穿孔し、容器２から液体Ｌを放出させる。ここで、エア抜き溝３３及び凹部３６により、液体Ｌを受け入れる筒状体３の本体内部空間３０Ｓ及び連通空間３１Ｓ並びに本体部３０の外部との間で空気の流通が可能となり、容器２と筒状体３との相対移動の際に筒状体３内部の空気を外部へ放出できる。よって、液体Ｌの流動性が向上すると共に相対移動もスムースとなるので、迅速に塗布作業を行える。特に、本実施形態では、エア抜き溝３３と凹部３６とは、軸方向Ｘに沿う同一直線上に配置しているので、エア抜き溝３３及び凹部３６が直線上の気道として機能し、空気が流通しやすくなり、よりスムースな塗布が可能となる。
【００３８】
最後に、本発明の他の実施形態について言及する。なお、上述の実施形態と同様の部材には同一の符号を附してある。
上記実施形態において、摺動抑制部１４として、第三溝１３の溝底面から突出させた凸部１４を用いた。しかし、摺動抑制部１４は、突起３２の溝内の摺動（移動）を抑制できればよく、例えば溝側面の一部を突出（隆起）させて溝幅を狭くした幅狭部であってもよい。また、溝部１０の一部に突起３２の摺動の抵抗を増加させる抵抗増加手段を設けることで、摺動を抑制することも可能である。なお、第二溝１２の隆起部１５も同様の態様が可能である。
【００３９】
また、凸部１４を第一交差部１０ｃ１近傍に配置したが、第三溝１３の中間に設けてもよく、複数箇所に設けても構わない。但し、第一交差部１０ｃ１近傍に配置した場合、凸部１４から第二交差部１０ｃ２までの移動距離を確保できるので、軸方向Ｘへの不測を防止する点で上記実施形態が優れている。
【００４０】
上記実施形態において、本体部３０の内面３０ａに１本のエア抜き溝３３を凹部３６と軸方向Ｘに沿って同一直線上となるように設けた。しかし、筒状体３と外部との空気の流通が確保できれば、溝の形状、位置、個数は適宜設定可能である。例えば、筒状体３の内面３０ａの他、対向部２４の外面又はこれら双方に設けても構わない。但し、空気の気道を確保しよりスムースな塗布を実現する点で、上記実施形態が優れている。
【００４１】
上記実施形態において、穿孔体５２を基端部５１上に設けた支持部５３に立設したが、これに限られるものではなく、例えば支持部５３を省略することも可能である。但し、穿孔体５５（支柱５５）の強度の観点から上記実施形態が優れている。
【００４２】
上記実施形態において、容器２にローレット２６ａを有する把持部２６を設けたが、ローレット２６ａに限らず他の滑り止め手段や装飾を施してもよく、省略してもよい。また、第一マーク２９及び第二マーク３９は、外部から目視できる態様であればよく、特に形状等は限定されない。
【符号の説明】
【００４３】
１：液体塗布具、２：容器、３：筒状体、４：塗布部、５：穿孔部、１０：溝部、１１：第一溝、１１ａ：一端、１２：第二溝、１３：第三溝、１４：凸部（摺動抑制部）、２０：容器本体、２１：開口部、２１ｃ：縁部、２２：封止材、２４：対向部、３０：本体部、３０ａ：内面、３１：連通部、３２：突起、Ａ：中心軸、Ｅ１：延長線、Ｌ：液体（薬液）、ｎ１，ｎ２：中心、Ｘ：軸方向、θ：中心角
【図１Ａ】
2019138549.tif 000003
【図１Ｂ】
2019138549.tif 000004
【図２】
2019138549.tif 000005
【図３】
2019138549.tif 000006
【図４】
2019138549.tif 000007
【図５】
2019138549.tif 000008
【図６】
2019138549.tif 000009
【図７】
2019138549.tif 000010
【図８】
2019138549.tif 000011
【図９】
2019138549.tif 000012
【図１０】
2019138549.tif 000013
【図１１】
2019138549.tif 000014
【図１２】
2019138549.tif 000015
【図１３】
2019138549.tif 000016
【図１４】
2019138549.tif 000017
【図１５】
2019138549.tif 000018
【国際調査報告】
2019138549.tif 000019
2019138549.tif 000020
2019138549.tif 000021
2019138549.tif 000022